(57)【要約】      （修正有）【課題】従来の技術の欠点及び欠陥を克服し、マイナスイオン発生器とＬＥＤライトを１つに結合させた空気浄化ＬＥＤランプを提供する。【解決手段】ランプベース１、ランプホルダー２、マイナスイオン発生器３、シェル４、ランプシェード５を含め、ランプホルダー２の形は球面であり、ＬＥＤライト６がランプホルダー２に分布され、ランプシェード５がＬＥＤライト６を包囲し、ランプホルダー２の中央に貫通孔７を持ち、マイナスイオン発生器３が貫通孔７の中に設置され、シェル４の上にランプホルダー２にある貫通孔７と連結できる通路８が設置される。当該空気浄化ＬＥＤランプのシェル４は、プラスチックシェルを利用でき、ランプホルダー２の表面に反射材料を用いることができる。【選択図】図１
0003186890.tif 000002
【実用新案登録請求の範囲】
【請求項１】
空気浄化LEDランプであり、ランプベース、ランプホルダー、マイナスイオン発生器、シェル、ランプシェードを含め、その特徴は：上述したランプホルダーの形は球面であり、LEDライトがランプホルダーに分布され、ランプシェードがLEDライトを包囲し、ランプホルダーの中央に貫通孔を持ち、マイナスイオン発生器が貫通孔の中に設置され、シェルの上にランプホルダーにある貫通孔と連結できる通路が設置される。
【請求項２】
請求項1に述べた空気浄化LEDランプに従って、その特徴は：上述したシェルは、プラスチックシェルである。
【請求項３】
請求項1に述べた空気浄化LEDランプに従って、その特徴は：上述したランプホルダーの表面に反射材料を用いる。
【考案の詳細な説明】
【技術分野】
【０００１】
本実用新案は照明デザインの分野に関与して、特に空気浄化LEDランプの分野に関与する。
【背景技術】
【０００２】
LED技術の改善と強化に伴い、その使用も益々普及し、徐々に従来の電球を代用できるLEDライトが現れた。LEDライトは従来の白熱電球に比べて、小型、低消費電力、長寿命などの利点を持つが、しかし、今のLEDライトの照明範囲が狭い。同時に、人々の生活水準が向上することと共に、生活環境に対する要求もますます高くなり、例えば、人々は自分の寝室や客間などに、イナスイオン発生器付きの空気浄化機を使用して、室内の空気品質を改善させ、良好な室内の空気環境を維持する。しかし、現在のマイナスイオン発生器付き空気浄化機は、大型で、コストが高く、消費電力も高い。経済的、省エネという目的を達成することはできなく、より多くのユーザーのニーズを満たすことができない。
【考案の概要】
【考案が解決しようとする課題】
【０００３】
本実用新案で解決しようとする技術問題とは、従来の技術の欠点及び欠陥を克服し、マイナスイオン発生器とLEDライトを1つに結合させた空気浄化LEDランプを提供する。
【課題を解決するための手段】
【０００４】
上述した目的を達成するために、本実用新案では、次の技術的な案を通して、実現したものである：この実用新案の空気浄化LEDランプは、ランプベース、ランプホルダー、マイナスイオン発生器、シェル、ランプシェードを含め、ランプホルダーの形は球面であり、LEDライトがランプホルダーに分布され、ランプシェードがLEDライトを包囲し、ランプホルダーの中央に貫通孔を持ち、マイナスイオン発生器が貫通孔の中に設置され、シェルの上にランプホルダーにある貫通孔と連結できる通路が設置される。当該空気浄化LEDランプのシェルは、プラスチックシェルを利用でき、ランプホルダーの表面に反射材料を用いることができる。
【考案の効果】
【０００５】
本実用新案の有益な効果とは：当該LEDランプにマイナスイオン発生器が設置され、塵埃粒子、細菌、煙、異臭を除去することができ、空気を浄化し、室内空気の流れを調節でき、空気の質を向上させ、効果的に人の呼吸器系の環境を改善させ、新陳代謝を促進する。同時に、LEDライトを球面に分布させることによって、LEDランプの照明範囲が広くなり、ランプホルダーの中央に貫通孔を持ち、シェルの上にランプホルダーにある貫通孔と連結できる通路が設置されるため、空気の流通に有益であり、LEDランプの冷却に助ける。
【図面の簡単な説明】
【０００６】
【図１】本実用新案空気浄化LEDランプの構造概略図である。
【考案を実施するための形態】
【０００７】
本実用新案をより詳しく説明するために、以下の実施例を提供する。しかし、それは本実用新案の保護範囲を限定することに理解してはいけなく、この分野の技術者が本実用新案の内容に従って、本実用新案に対した本質に触れない改善と調整は、本実用新案の保護範囲に覆われる。
【０００８】
本実用新案の空気浄化LEDランプは、図1の様に、ランプベース1、ランプホルダー2、マイナスイオン発生器3、シェル4、ランプシェード5を含め、ランプホルダー2の形は球面であり、LEDライト6がランプホルダー2に分布され、ランプシェード5がLEDライト6を包囲し、ランプホルダー2の中央に貫通孔7を持ち、マイナスイオン発生器3が貫通孔7の中に設置され、マイナスイオン発生器3の上部がシェル4と連結し、放電炭素ブラシ9がマイナスイオン発生器3の下段に設置され、シェル4の上にランプホルダー2にある貫通孔7と連結できる通路8が設置される。
【０００９】
当該空気浄化LEDランプは、LEDライトを球面に分布させることによって、LEDランプの照明範囲が広くなり、ランプホルダーの中央に貫通孔を持ち、シェルの上にランプホルダーにある貫通孔と連結できる通路が設置されるため、空気の流通に有益であり、LEDランプの冷却に助ける。当該LEDランプにマイナスイオン発生器が設置され、塵埃粒子、細菌、煙、異臭を除去することができ、空気を浄化する。
【００１０】
また、当該空気浄化LEDランプのシェルは、プラスチックシェルを利用でき、ランプホルダーの表面に反射材料を用いることができる。
【００１１】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、請求の範囲で限定された範囲に準じる。
【符号の説明】
【００１２】
1  ランプベース
2  ランプホルダー
3  マイナスイオン発生器
4  シェル
5  ランプシェード
6  LEDライト
7  貫通孔
8  通路
9  放電炭素ブラシ
【図１】
0003186890.tif 000003
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
空気浄化LEDランプであり、ランプベース、ランプホルダー、マイナスイオン発生器、シェル、ランプシェードを含め、その特徴は：上述したランプホルダーの形は球面であり、LEDライトがランプホルダーに分布され、ランプシェードがLEDライトを包囲し、ランプホルダーの中央に貫通孔を持ち、マイナスイオン発生器が貫通孔の中に設置され、シェルの上にランプホルダーにある貫通孔と連結できる通路が設置されることを特徴とする空気浄化LEDランプ。
【請求項２】
請求項1に記載の空気浄化LEDランプにおいて、その特徴は：上述したシェルは、プラスチックシェルであることを特徴とする空気浄化LEDランプ。
【請求項３】
請求項1に記載の空気浄化LEDランプにおいて、その特徴は：上述したランプホルダーの表面に反射材料を用いることを特徴とする空気浄化LEDランプ。